(57)【特許請求の範囲】
【請求項１】
開口部が底部より狭幅となされた袋溝とこの袋溝の底部から両側方向に延設された支持部とからなる基材とこの基材の両側の支持部をそれぞれ覆うように基材に被着される２個のカバー材とからなる陳列用レールであって、基材の開口縁部が内方向に折曲形成されて係止部となされ、支持部に係止突条が設けられ、この係止突条端部に外方に突出する鈎部が設けられ、前記各カバー材は円弧状に形成され、その一端には前記基材に形成された係止部に回動可能に嵌着されるようになされた挟持部が設けられると共に、前記カバー材の裏面中央には前記基材の係止突条端部の先端に形成された鈎部と互いに係合するようになされた係合部が設けられたことを特徴とする陳列用レール。
【請求項２】
カバー材の表面両側縁部に全長に亘って、突条が設けられたことを特徴とする請求項１記載の陳列用レール。
【発明の詳細な説明】
【０００１】
【発明の属する技術分野】
本発明は、陳列用のフックや、陳列棚用のブラケットなどを選択的に着脱できるようにした壁面取り付けに主として用いられる陳列用レールに関する。
【０００２】
【従来の技術】
従来、商店などの店舗の壁面や、陳列棚の壁面などに支持用の溝を設けたレールを取り付け、このレールに陳列用のフックや陳列棚用のブラケットを着脱自在に支持させたものが知られている。
【０００３】
又、特開平７−２２２６５８号公報には、適宜上下幅の垂直向きの基板に、その中央に横向きに立設形成した２つの起立片によって適宜の上下幅で形成した開口溝と該溝の底部において上下幅が前記開口幅より広幅の係止溝とを形成する一方、前記基板の上，下端部に、その側端をそれぞれ前面側に立上げ先端に係止突部を設けた当接片を形成すると共に、前記溝の開口端をその溝の外側に曲げて係止突部を形成して成り、前記係止溝にブラケットの後端に形成した被係止部や柱状をなす縦方向部材の上，下端部に形成した被係止部が選択的に係止されると共に、前記起立片の外面に板状の化粧ボ−ドの上，下端面を支持させるか、又は、前記当接片と起立片にカバ−部材を被着させるようにした支持部材が提案されている。
【０００４】
【発明が解決しようとする課題】
しかしながら上記特開平７−２２２６５８号公報に提案されている如き支持部材においては、基板の中央に形成された起立片による開口溝の底部内側の係止溝は、ブラケットや支持部材の係止部を着脱自在に係止する。この係止溝を挟んで上，下の外面に形成された当接片と前記起立片の外面は、その端部に係止突部を具備させたことにより、板状化粧板、或は、この支持部材自体のカバ−部材を、選択的に着脱自在に装着することができるものの、壁面に不陸があるときなど、壁面の凹凸に干渉されて、カバー部材の取り付けが煩瑣になるという問題があり、又基板の起立片に設けられら係止凸部がカバーに隠蔽されず露出されるので、外観的に好ましくなかった。
【０００５】
そこで本発明者は従来の欠点に鑑み鋭意研究の結果、取り付けが容易で、意匠性に優れる陳列レールを提案するものである。
【０００６】
【課題を解決するための手段】
本発明請求項１記載の陳列用レールは、開口部が底部より狭幅となされた袋溝とこの袋溝の底部から両側方向に延設された支持部とからなる基材とこの基材の両側の支持部をそれぞれ覆うように基材に被着される２個のカバー材とからなる陳列用レールであって、基材の開口縁部が内方向に折曲形成されて係止部となされ、支持部に係止突条が設けられ、この係止突条端部に外方に突出する鈎部が設けられ、前記各カバー材は円弧状に形成され、その一端には前記基材に形成された係止部に回動可能に嵌着されるようになされた挟持部が設けられると共に、前記カバー材の裏面中央には前記基材の係止突条端部の先端に形成された鈎部と互いに係合するようになされた係合部が設けられたもので、基材の係止部にカバー材の挟持部を係合し、この挟持部を軸にカバー材を壁面の方向に回動させ、カバー材裏面の係合部を基材の鈎部に係合固定するだけで、基材にカバー材を取り付けることができる。
【０００７】
本発明請求項２記載の陳列用レールは、カバー材の表面両側縁部に全長に亘って、突条が設けられたもので、この突条が化粧シートなどを貼着するときの当たりとなされる。
【０００８】
【発明の実施の形態】
以下、図面を参照しながら本発明に付いて説明する。
図１は本発明陳列用レールの実施形態の一例を示す斜視図であり、図２は本発明陳列レールの組立手順を示す断面図である。図において、１は基材であり、開口部が内側に折曲されて袋溝１１が形成され、この袋溝１１の底部が外方に延設されて支持部１２が形成されている。この袋溝１１の開口縁部は断面円形に膨出されて係止部となされている。支持部１２の縁部は上方に折曲されて係止突条１３となされ、この係止突条１３の端部が外方に鏃型に突出されて鈎部１４となされている。
【０００９】
カバー材２は表面円弧状に形成され、その一端には前記基材１に形成された係止部に回動可能に嵌着されるようになされた挟持部２１が設けられている。又カバー材２の裏面中央には前記基材１の係止突条１３端部先端に形成された鈎部１４と互いに係合するようになされた鏃型の係合部２２が設けられている。カバー材２表面の両側縁部には突条２３が設けられ、カバー材２が基材１に嵌着されるようになされている。
【００１０】
次に図２によって本発明陳列用レールの施工例について説明する。
まず基材１を壁面に当接し、支持部１２を貫通するビスにより基材１を壁面に固定する。
次に基材１の略中央に設けられた袋溝１１の縁部先端の係止部にカバー材２端部の挟持部２１を係合し、この挟持部２１を軸にカバー材２を壁面の方向に回動させ、カバー材２裏面の係合部２２を基材１の鈎部１４に係合固定する。
【００１１】
本発明陳列用レールにおけるカバー材２は、表面両側縁部に全長に亘って、突条２３が設けられており、化粧シートａを貼着するときの当たりとなされている。化粧シートの色や柄の異なるものを適宜貼着することにより、多様な外観を呈することができる。
【００１２】
本発明陳列用レールにおける基材１とカバー材２はアルミ合金押出型材などの金属材、合成樹脂材など適宜材質により作製される。
【００１３】
【発明の効果】
上述の如く、本発明請求項１記載の陳列用レールは、開口部が底部より狭幅となされた袋溝とこの袋溝の底部から両側方向に延設された支持部とからなる基材とこの基材の両側の支持部をそれぞれ覆うように基材に被着される２個のカバー材とからなる陳列用レールであって、基材の開口縁部が内方向に折曲形成されて係止部となされ、支持部に係止突条が設けられ、この係止突条端部に外方に突出する鈎部が設けられ、前記各カバー材は円弧状に形成され、その一端には前記基材に形成された係止部に回動可能に嵌着されるようになされた挟持部が設けられると共に、前記カバー材の裏面中央には前記基材の係止突条端部の先端に形成された鈎部と互いに係合するようになされた係合部が設けられたもので、基材の係止部にカバー材の挟持部を係合し、この挟持部を軸にカバー材を壁面の方向に回動させ、カバー材裏面の係合部を基材の鈎部に係合固定するだけで、基材にカバー材を取り付けることができるので施工が容易であり、袋溝の縁部がカバー材に覆われるので美麗である。
【００１４】
又、本発明請求項２記載の陳列用レールは、カバー材の表面両側縁部に全長に亘って、突条が設けられたもので、この突条が化粧シートなどを貼着するときの当たりとなされるので、化粧シートの貼着が容易で、多様な外観を呈することが出来る。
【図面の簡単な説明】
【図１】本発明陳列用レールの実施形態の一例を示す斜視図である。
【図２】本発明陳列レールの組立手順を示す断面図である。
【図３】本発明陳列用レールの実施形態の一例を示す斜視図である。
【符号の説明】
１    基材
１１  袋溝
１２  支持部
１３  係止突条
１４  鈎部
２    カバー材
２１  挟持部
２２  係合部
２３  突条
ａ    化粧シート
【図１】
0004234919.tif 000002
【図２】
0004234919.tif 000003
【図３】
0004234919.tif 000004